(57)【要約】【課題】所定の角度に取り付けた後のネジパイプの揺動を規制して、雨樋の取り付け角度を維持可能なハゼ式吊子を提供する。【解決手段】隣接する折版屋根Ｙ、Ｙ１の端部同士を重合させたうえ、その重合部分ＹＹをカシメ止めして葺かれるハゼ式折版屋根構造の前記重合部分ＹＹに吊子本体１の上端１１を挟み込み、前記吊子本体１の下部には、ネジ溝２２を備えたネジパイプ２を枢着して揺動可能に取り付けられてなるハゼ式吊子Ａであって、前記吊子本体１の下部には、前記ネジパイプ２の揺動を規制可能な曲げ可能部４を設けてなる。【選択図】図１
2007177510.tif 000002
【特許請求の範囲】
【請求項１】
隣接する折版屋根の端部同士を重合させたうえ、その重合部分をカシメ止めして葺かれるハゼ式折版屋根構造の前記重合部分に吊子本体の上端を挟み込み、前記吊子本体の下部には、ネジ溝を備えたネジパイプを枢着して揺動可能に取り付けられてなるハゼ式吊子であって、
前記吊子本体の下部には、前記ネジパイプの揺動を規制可能な曲げ可能部を設けたことを特徴とするハゼ式吊子。
【請求項２】
請求項１において、
曲げ可能部は、吊子本体の下部適所にスリットを設けてなるハゼ式吊子。
【請求項３】
請求項２において、
スリットは、間隔をあけて複数形成した縦スリットであるハゼ式吊子。
【請求項４】
請求項１において、
曲げ可能部は、吊子本体の下部適所に薄肉部を形成してなるハゼ式吊子。
【発明の詳細な説明】
【技術分野】
【０００１】
本発明は、隣接する折版屋根の端部同士を重合させたうえ、その重合部分をカシメ止めして葺かれるハゼ式折版屋根構造の前記重合部分に、吊子本体の上端を挟み込み、前記吊子本体の下部には、ネジ溝を備えたネジパイプを枢着して揺動可能に取り付けられてなるハゼ式吊子に関する。
【背景技術】
【０００２】
図５は、従来のハゼ式吊子の一例をハゼ式折版屋根構造に取り付けた状態を示す使用状態図であり、図６（ａ）〜（ｃ）は、図５で示した従来のハゼ式吊子の斜視図、正面図、側面図であり、図７は、図５で示した従来のハゼ式吊子を側面から見た状態の使用状態図である。
【０００３】
以下、これら図５〜図７に基づき、説明する。
【０００４】
一般に、商業用等大型の建造物の折版屋根Ｙでは、隣接する折版屋根Ｙ１の端部同士を重合させたうえ、その重合部分ＹＹをカシメ止めして葺かれるハゼ式折版屋根構造が使用されており、この重合されたハゼ式折版屋根Ｙの軒先には、雨水を集水するための雨樋Ｔが設置されている。
【０００５】
この雨樋Ｔは、前後の樋耳ＴＭを吊下げ式の雨樋支持具Ｓに掛止して支持されており、この雨樋支持具Ｓ上端のボルト部Ｓ１は、ハゼ式吊子１００を介して、前記ハゼ式折版屋根Ｙに固定されてなる。
【０００６】
具体的には、ハゼ式折版屋根Ｙの軒先側の重合部分ＹＹに、ハゼ式吊子１００の吊子本体１０１の上端１０２を挟み込み、この吊子本体１０１の下部には、内面にネジ溝１１３を備えたネジパイプ１０３をリベット１０４でカシメ止めして枢着し、ネジパイプ１０３を揺動可能に取り付けられてなる。
【０００７】
このようにして、ハゼ式折版屋根Ｙの軒先側の重合部分ＹＹに、上端１０２が固定されたハゼ式吊子１００は、ハゼ式折版屋根Ｙが傾斜されているため、ネジパイプ１０３を鉛直方向に向けたうえで、このネジ溝１１３に、雨樋支持具Ｓ上端のボルト部Ｓ１を螺合して雨樋支持具Ｓを取り付け、これに雨樋Ｔの前後の樋耳ＴＭを周知の要領で掛止して、ハゼ式折版屋根Ｙの軒先に雨樋Ｔを取り付けるのである。
【０００８】
なお、ネジパイプ１０３を鉛直方向に向ける作業は、雨樋Ｔを取り付けた後に行うこともある。
【特許文献１】特になし
【発明の開示】
【発明が解決しようとする課題】
【０００９】
しかし、従来のハゼ式吊子１００では、雨樋Ｔを取り付けたネジパイプ１０３が、揺動可能であるため、例えば、雨樋Ｔが台風等の強風で煽られた際には、雨樋Ｔが振れ、特に大型の雨樋Ｔでは、その振れによって負荷される荷重も大きいため、これを支持しているネジパイプ１０３も揺動されて、水平に取り付けた雨樋Ｔが傾斜されてしまうという問題があった。
【００１０】
本発明は、かかる課題を解決することを目的とするもので、所定の角度に取り付けた後のネジパイプの揺動を規制して、雨樋の取り付け角度を維持可能なハゼ式吊子を提供する。
【課題を解決するための手段】
【００１１】
上記目的を達成するため、
請求項１に係るハゼ式吊子は、隣接する折版屋根の端部同士を重合させたうえ、その重合部分をカシメ止めして葺かれるハゼ式折版屋根構造の前記重合部分に吊子本体の上端を挟み込み、前記吊子本体の下部には、ネジ溝を備えたネジパイプを枢着して揺動可能に取り付けられてなるハゼ式吊子であって、前記吊子本体の下部には、前記ネジパイプの揺動を規制可能な曲げ可能部を設けたことを特徴とする。
【００１２】
請求項２に係るハゼ式吊子は、請求項１において、曲げ可能部が、吊子本体の下部適所にスリットを設けてなる。
【００１３】
請求項３に係るハゼ式吊子は、請求項２において、スリットが、間隔をあけて複数形成した縦スリットである。
【００１４】
請求項４に係るハゼ式吊子は、請求項１において、曲げ可能部が、吊子本体の下部適所に薄肉部を形成してなる。
【発明の効果】
【００１５】
本発明によれば、次のような効果がある。
請求項１に係るハゼ式吊子によれば、吊子本体の下部には、ネジパイプの揺動を規制可能な曲げ可能部を設けているので、所定の角度に取り付けたネジパイプは、例えば、雨樋が台風等の強風で煽られても、前記曲げ可能部がネジパイプの揺動を規制しているので、雨樋の取り付け角度を維持できる。
【００１６】
請求項２に係るハゼ式吊子によれば、曲げ可能部は、吊子本体の下部適所にスリットを設けてなるので、前記曲げ可能部の折り曲げ作業を容易に行うことができ、現場での作業性を高めることができる。
【００１７】
請求項３に係るハゼ式吊子によれば、請求項２におけるスリットは、間隔をあけて複数形成した縦スリットであるので、曲げ可能部の折り曲げ作業を容易に行うことができるうえ、所望の位置の縦スリットで折り曲げて、ネジパイプの揺動を簡単に規制できる。
【００１８】
請求項４に係るハゼ式吊子によれば、曲げ可能部は、吊子本体の下部適所に薄肉部を形成してなるので、前記曲げ可能部の折り曲げ作業を容易に行うことができ、現場での作業性を高めることができる。
【発明を実施するための最良の形態】
【００１９】
以下、本発明に係るハゼ式吊子を図面とともに説明する。
【実施例１】
【００２０】
図１は、本発明に係るハゼ式吊子Ａの一実施例をハゼ式折版屋根構造に取り付けた状態を示す使用状態図であり、図２（ａ）〜（ｃ）は、図１で示したハゼ式吊子Ａの斜視図、正面図、側面図であり、図３は、図１で示したハゼ式吊子Ａを側面から見た状態の使用状態図である。
【００２１】
以下、これら図１〜図３に基づき、説明する。
【００２２】
商業用等大型の建造物の折版屋根Ｙでは、隣接する折版屋根Ｙ１の端部同士を重合させたうえ、その重合部分ＹＹをカシメ止めして葺かれるハゼ式折版屋根構造が使用されており、この重合されたハゼ式折版屋根Ｙの軒先には、雨水を集水するための雨樋Ｔが設置されている。
【００２３】
この雨樋Ｔは、前後の樋耳ＴＭを吊下げ式の雨樋支持具Ｓに掛止して支持されており、この雨樋支持具Ｓ上端のボルト部Ｓ１は、ハゼ式吊子Ａを介して、ハゼ式折版屋根Ｙに固定されてなる。
【００２４】
このハゼ式吊子Ａは、吊子本体１と、この下部に揺動可能に取り付けられたネジパイプ２とからなる。
【００２５】
吊子本体１は、金属板で形成され、その上端１１を、ハゼ式折版屋根Ｙの軒先側の重合部分ＹＹに挟み込み可能な断面略半円状に折り曲げて形成している。
【００２６】
また、吊子本体１の下部両側には、一方に折り曲げて形成された補強片部１２を設け、吊子本体１の強度を高めている。
【００２７】
吊子本体１の下部中央には、ネジパイプ２の上端に形成された板状の取付片２１をリベット３でカシメ止めして枢着し、ネジパイプ２を揺動可能に取り付けてなる。
【００２８】
このネジパイプ２は、取付片２１を除けば、下方が開放された略筒状体であって、その内面にはネジ溝２２を形成している。
【００２９】
そして、このネジ溝２２には、雨樋支持具Ｓ上端のボルト部Ｓ１を螺合可能にしている。
【００３０】
本発明は、このように形成した吊子本体１の下端に、ネジパイプ２の揺動を規制可能な曲げ可能部４を設けたことに特徴がある。
【００３１】
この曲げ可能部４は、これを折り曲げることで、ネジパイプ２の揺動を規制できるものであれば良く、吊子本体１の下端適所に、上方に向けて切り込みされたスリットを形成したり、又は、これに代えて、吊子本体１の下部適所に薄肉部（不図示）を形成しても構わない。
【００３２】
本実施例で示した曲げ可能部４は、吊子本体１の下端に、上方に向けて切り込みされた縦スリット４１を、間隔をあけて複数形成してなる。
【００３３】
このような複数の縦スリット４１を形成すれば、ネジパイプ２の取付片２１を、リベット３を中心にして揺動した後、所望の位置の縦スリット４１に隣接する縦片をニッパやペンチ等の工具を用いて折り曲げるだけで、取付片２１の揺動が規制され、すなわち、ネジパイプ２の揺動を所望の位置で規制できるのである。
【００３４】
このような本発明のハゼ式吊子Ａでは、従来と同じ要領で、ハゼ式折版屋根Ｙの軒先側の重合部分ＹＹに、その上端１１を挟み込んでカシメ止めしたうえで、図３に示すように、ネジパイプ２を揺動させて、これを鉛直方向に設定する。
【００３５】
そして、所望の位置の縦スリット４１で、曲げ可能部４をニッパやペンチ等の工具を用いて折り曲げれば、ネジパイプ２の揺動が確実に規制され、ネジパイプ２を鉛直方向に確実に設定することができ、その後、ネジパイプ２のネジ溝２２に、雨樋支持具Ｓ上端のボルト部Ｓ１を螺合して雨樋支持具Ｓを取り付け、これに雨樋Ｔの前後の樋耳ＴＭを周知の要領で掛止して、ハゼ式折版屋根Ｙの軒先に雨樋Ｔを取り付けるのである。
【００３６】
なお、ネジパイプ２を鉛直方向に設定する作業は、雨樋Ｔを取り付けた後に行っても同様の効果を得ることができる。
【００３７】
このように、本発明に係るハゼ式吊子Ａによれば、吊子本体１の下部には、ネジパイプ２の揺動を規制可能な曲げ可能部４を設けているので、所定の角度に取り付けたネジパイプ２は、例えば、雨樋Ｔが台風等の強風で煽られても、曲げ可能部４がネジパイプ２の揺動を規制しているので、雨樋Ｔの取り付け角度を確実に維持できるのである。
【実施例２】
【００３８】
図４（ａ）〜（ｃ）は、本発明に係るハゼ式吊子Ａの他の実施例を示した斜視図、正面図、側面図である。
【００３９】
なお、図２と共通する部位には、同一の番号を付し、ここでは、本実施例の特徴についてのみ説明する。
【００４０】
このハゼ式吊子Ａの曲げ可能部４は、吊子本体１の下端から略上方であって、且つ、吊子本体１の両端から各々内方に向けて切り込みされた横スリット４１’を形成したものを示している。
【００４１】
このような横スリット４１’を形成すれば、横スリット４１’の下方に位置された横長の片が、曲げ可能部４として容易に折り曲げることができ、上記同様、ネジパイプ２の取付片２１がリベット３を中心にして揺動された後、曲げ可能部４の適所をニッパやペンチ等の工具を用いて折り曲げるだけで、取付片２１の揺動が規制され、すなわち、ネジパイプ２の揺動を規制できるのである。
【図面の簡単な説明】
【００４２】
【図１】本発明に係るハゼ式吊子Ａの一実施例をハゼ式折版屋根構造に取り付けた状態を示す使用状態図である。
【図２】（ａ）〜（ｃ）は、図１で示したハゼ式吊子Ａの斜視図、正面図、側面図である。
【図３】図１で示したハゼ式吊子Ａを側面から見た状態の使用状態図である。
【図４】（ａ）〜（ｃ）は、本発明に係るハゼ式吊子Ａの他の実施例を示した斜視図、正面図、側面図である。
【図５】従来のハゼ式吊子の一例をハゼ式折版屋根構造に取り付けた状態を示す使用状態図である。
【図６】（ａ）〜（ｃ）は、図４で示したハゼ式吊子の斜視図、正面図、側面図である。
【図７】図３で示した従来のハゼ式吊子を側面から見た状態の使用状態図である。
【符号の説明】
【００４３】
Ａ      ハゼ式吊子
Ｙ、Ｙ１  折版屋根
ＹＹ    重合部分
Ｔ      雨樋
１      吊子本体
１１    上端
２      ネジパイプ
２２    ネジ溝
４      曲げ可能部
４１    縦スリット
【図１】
2007177510.tif 000003
【図２】
2007177510.tif 000004
【図３】
2007177510.tif 000005
【図４】
2007177510.tif 000006
【図５】
2007177510.tif 000007
【図６】
2007177510.tif 000008
【図７】
2007177510.tif 000009